(57)【要約】【課題】一のチューナで受信された音声放送などの放送情報の音声を再生しつつ，他のチューナで受信されたテレビジョン放送などの放送情報の映像のみを表示して，前記音声放送の映像を省略することのできるテレビジョン受像機を提供すること。【解決手段】チューナ１ａによって受信された第一の放送情報に含まれる音声のみをスピーカ１３に出力すると共に，前記チューナ１ａと異なるチューナ１ｂによって受信された第二の放送情報に含まれる映像のみを前記液晶表示部２１に出力する動作モードを備えて構成される。【選択図】図１
2008005270.tif 000002
【特許請求の範囲】
【請求項１】
映像及び／又は音声を含む放送情報を受信する複数のチューナと，前記放送情報に含まれた映像を表示する映像表示手段と，前記放送情報に含まれた音声を再生する音声再生手段と，を有するテレビジョン受像機であって，
前記チューナのいずれか一の第一のチューナによって受信された第一の放送情報に含まれる音声のみを前記音声再生手段に出力すると共に，前記第一のチューナと異なる第二のチューナによって受信された第二の放送情報に含まれる映像のみを前記映像表示手段に出力する映像出力制御手段を備えてなることを特徴とするテレビジョン受像機。
【請求項２】
前記第一の放送情報が音声放送である請求項１に記載のテレビジョン受像機。
【請求項３】
前記映像出力制御手段が，
前記第一の放送情報に含まれる音声のみを前記音声再生手段に出力すると共に，前記第一の放送情報に含まれる第一の映像及び前記第二の放送情報に含まれる第二の映像を前記映像表示手段に出力する同時出力手段と，
前記同時出力手段により出力が行われているときに所定の操作手段が操作されたことを条件に，前記第一の映像の出力だけを停止する出力停止手段と，
を含んでなる請求項１又は２のいずれかに記載のテレビジョン受像機。
【請求項４】
出力中の音声が含まれた放送情報を放送する放送局或いは該放送局に関連する情報を表示する音声情報表示手段を更に備えてなる請求項１〜３のいずれかに記載のテレビジョン受像機。
【発明の詳細な説明】
【技術分野】
【０００１】
本発明は，テレビジョン放送や音声放送などの放送情報を受信するチューナを複数有してなり，その複数のチューナによって受信された複数の放送情報を同時に出力することのできるテレビジョン受像機に関するものである。
【背景技術】
【０００２】
特許文献１には，映像及び音声を含むテレビジョン放送だけではなく，音声を主とするラジオ放送や音楽放送などの音声放送を受信して出力するテレビジョン受像機が示されている。なお，前記音声放送には，該音声放送に含まれる音声に関する情報を示す文字や静止画，簡易映像などが添付される。
前記特許文献１では，前記音声放送を出力しているときに，モニタ画面に映像を表示させないことで省電力を図ることが提案されている。
また，特許文献２では，前記音声放送を出力しているときに，該音声放送に含まれた映像以外の映像を記憶手段から読み出して表示させることが提案されている。
【０００３】
ところで，従来から，前記テレビジョン放送や前記音声放送などの放送情報を受信するチューナを複数有してなり，その複数のチューナによって受信された複数の放送情報を同時に出力することのできるテレビジョン受像機がある。ここに，図４は，二つのチューナを有する従来のテレビジョン受像機Ｙの表示画面の一例を示す図である。
前記テレビジョン受像機Ｙは，図４（ａ）に示すように一つのチューナで受信された放送情報に含まれる映像Ａが単独で表示されるシングルモードと，図４（ｂ）に示すように二つのチューナ各々で受信された放送情報に含まれる映像Ａ，Ｂが同時に表示されるデュアルモードとを有している。なお，前記シングルモード及び前記デュアルモードは，例えばリモコンに設けられたモード切替キーなどの操作に応じて切り替えられる。
ここで，前記シングルモードでは，前記映像Ａに対応する音声が再生され，前記デュアルモードでは，前記映像Ａ，Ｂのいずれか一方に対応する音声だけが再生される。なお，図４（ｂ）に示すように，前記デュアルモードでは，再生中の音声に対応する映像に例えば“♪”が付されることにより，再生中の音声がいずれの映像に対応するものであるかを判断することができる。
【特許文献１】特開２００１−２７５０６１号公報
【特許文献２】特開２００５−３２３３２９号公報
【発明の開示】
【発明が解決しようとする課題】
【０００４】
しかしながら，前記テレビジョン受像機Ｙでは，前記映像Ｂを単独表示しながら，前記映像Ａに対応する音声を再生することはできなかった。即ち，前記テレビジョン受像機Ｙでは，音声放送に含まれた音声を再生する際に，該音声放送に含まれた映像を表示する必要があり，その映像の代わりに前記音声放送と異なるテレビジョン放送などの放送情報に含まれた映像を単独で表示させるということができないため，利便性が悪いという問題があった。
従って，本発明は上記事情に鑑みてなされたものであり，その目的とするところは，一のチューナで受信された音声放送などの放送情報の音声を再生しつつ，他のチューナで受信されたテレビジョン放送などの放送情報の映像のみを表示して，前記音声放送の映像を省略することのできるテレビジョン受像機を提供することにある。
【課題を解決するための手段】
【０００５】
上記目的を達成するために本発明は，映像や音声を含む放送情報を受信する複数のチューナと，前記放送情報に含まれた映像を表示する映像表示手段と，前記放送情報に含まれた音声を再生する音声再生手段と，を有するテレビジョン受像機に適用されるものであって，前記チューナのいずれか一の第一のチューナによって受信された第一の放送情報に含まれる音声のみを前記音声再生手段に出力すると共に，前記第一のチューナと異なる第二のチューナによって受信された第二の放送情報に含まれる映像のみを前記映像表示手段に出力することを特徴とするテレビジョン受像機として構成される。
本発明によれば，ユーザは前記第一の放送情報に含まれた音声を聴きながら，前記映像表示手段に単独表示された前記第二の放送情報に含まれた映像を観ることができる。特に，本発明は，前記第一の放送情報が，ラジオ番組や音楽番組など，映像が特に重要ではない音声放送である場合に好適である。
【０００６】
また，前記第一の放送情報に含まれる音声のみを前記音声再生手段に出力すると共に，前記第一の放送情報に含まれる第一の映像及び前記第二の放送情報に含まれる第二の映像を前記映像表示手段に出力し，該出力が行われているときに所定の操作手段が操作されたことを条件に，前記第一の映像の出力だけを停止することが望ましい。このように出力状態を遷移させることにより，ユーザは，前記第一の放送情報に含まれた映像を確認することができる。
さらに，出力中の音声が含まれた放送情報を放送する放送局或いは該放送局に関連する例えばチャンネルなどの情報を表示することが望ましい。これにより，前記映像表示手段により表示されている映像と前記音声再生手段により再生されている音声とが異なる放送情報に含まれたものである場合に，その旨をユーザに認識させることができる。
【発明の効果】
【０００７】
本発明によれば，ユーザは前記第一の放送情報に含まれた音声を聴きながら，前記映像表示手段に単独表示された前記第二の放送情報に含まれた映像を観ることができる。特に，本発明は，前記第一の放送情報が，ラジオ番組や音楽番組など，映像が特に重要ではない音声放送である場合に好適である。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るテレビジョン受像機Ｘの概略構成を示すブロック図，図２は前記テレビジョン受像機Ｘにおいて実行される映像表示処理の手順の一例を説明するためのフローチャート，図３は前記テレビジョン受像機Ｘによる表示例を説明するための図である。
まず，図１に示すブロック図を用いて，本発明の実施形態に係るテレビジョン受像機Ｘの構成について説明する。
図１に示すように，テレビジョン受像機Ｘは，複数のチューナ１ａ（第一のチューナの一例），１ｂ（第二のチューナの一例）と，複数の映像処理回路４ａ，４ｂと，画面合成切替回路５と，制御回路８と，リモコン９ａと，リモコンインターフェース（Ｉ／Ｆ）回路９と，液晶表示部２１と，音声切替回路１０と，音声処理回路１１と，アンプ１２と，スピーカ１３と，を具備して構成されている。また，これら以外にも，一般的なテレビジョン受像機が有する構成要素も備えている。
前記チューナ１ａ，１ｂは，放送受信アンテナ２０から映像や音声を含むテレビジョン放送や音声放送などの放送情報を受信するものである。ここに，前記放送情報には，複数の放送局から放送された複数チャンネルの放送情報が含まれている。
前記テレビジョン受像機Ｘは，前記チューナ１ａにより受信された一つの放送情報を出力するシングルモードと，前記チューナ１ａ及び前記チューナ１ｂにより受信された二つの放送情報を同時に出力するデュアルモードとを動作モードとして備えている。本発明の実施の形態に係る前記テレビジョン受像機Ｘは，前記デュアルモードの内容に特徴を有しており，この点については後段で詳説する。また，本実施の形態では，シングルモードとデュアルモードとの切り替えを行う例を示すが，同様の構成により，３つ以上の映像を表示するマルチモードとシングルモードとを切り替える例も他の実施例として考えられる。
【０００９】
前記チューナ１ａ，１ｂは，前記制御回路８から指示された放送チャンネルの放送情報を抽出（選局）するとともに，該放送情報に含まれる映像信号を前記映像処理回路４ａ，４ｂへ伝送し，該放送情報に含まれる音声信号を前記音声切替回路１０へ伝送するものである。以下，前記チューナ１ａで受信された放送情報（第一の放送情報の一例）に含まれる映像信号に基づく映像を第１映像Ａ（第一の映像の一例），前記チューナ１ｂで受信された放送情報（第二の放送情報の一例）に含まれる映像信号に基づく映像を第２映像Ｂ（第二の映像の一例）と称する。
【００１０】
前記映像処理回路４ａは，前記チューナ１ａから伝送された映像信号に対して各種信号処理を行うものであって，前記映像処理回路４ｂは，前記チューナ１ｂから伝送された映像信号に対して各種信号処理を行うものである。例えば，前記映像処理回路４ａ，４ｂは，映像信号のＡ／Ｄ変換や，Ａ／Ｄ変換後の映像信号から水平及び垂直同期信号の分離，その同期信号に位相同期したクロック信号の生成，Ａ／Ｄ変換後の映像信号からの輝度信号及び色信号の分離，所定の画質改善処理等を行う。
前記映像処理回路４ａ，４ｂで各種信号処理が施された映像信号は，該映像処理回路４ａ，４ｂから前記画面合成切替回路５に伝送される。
【００１１】
前記画面合成切替回路５は，前記制御回路８からの指示に従って，一画面に一つの映像を表示するシングル表示状態に対応したシングル映像信号と，一画面を分割して二つの映像を表示するデュアル表示状態に対応したデュアル映像信号とのいずれかを生成し，その映像信号を前記液晶表示部２１へ伝送するものである。
ここで，前記シングル映像信号は，通常の一般的な映像信号であり，前記第１映像Ａを全ての画素を用いて単独で前記液晶表示部２１に表示させるための映像信号である。
一方，前記デュアル映像信号は，例えば，前記液晶表示部２１の左半分に前記第１映像Ａを，該液晶表示部２１の右半分に前記第２映像Ｂを表示させることにより，前記第１映像Ａ及び前記第２映像Ｂを同時に前記液晶表示部２１に表示させるための映像信号である。
さらに，前記画面合成切替回路５は，前記制御回路８から伝送される挿入情報を，出力する映像信号にスーパーインポーズする機能や，前記映像処理回路４ａ，４ｂからの出力映像に代えて，前記制御回路８から伝送されてくる情報を映像信号に変換して出力する機能も備えている。
前記液晶表示部２１は，液晶パネル及びその周辺機器等からなり，前記画面合成切替回路５から出力される映像信号に基づく映像を表示する映像表示手段の一例である。
【００１２】
前記音声切替回路１０は，前記チューナ１ａ，１ｂ各々から伝送される音声信号のうちの任意の１つの音声信号（ステレオの場合は１組の音声信号）を，前記制御回路８からの指示に従って前記音声処理回路１１に伝送するものである。
前記音声処理回路１１は，前記制御回路８からの指示に従って，前記音声切替回路１０から伝送される音声信号に対してイコライズ処理やサラウンド処理等の各種信号処理を行うものである。
前記アンプ１２は，前記音声処理回路１１による各種信号処理後の音声信号を，前記制御回路８からの指示に従って増幅或いは減衰させる処理を行い，その処理後の音声信号を前記スピーカ１３へ伝送するものである。
前記スピーカ１３は，前記音声信号に基づいて音声を出力する音声再生手段の一例である。
【００１３】
前記制御回路８は，演算手段であるＭＰＵ８ａ，そのＭＰＵ８ａによって実行される制御プログラムが予め格納される記憶手段であるＲＯＭ８ｂ（ＥＰＲＯＭ），ＭＰＵ８ａが実行する処理によって書き込まれる設定情報を記憶するＥＥＰＲＯＭ８ｃ等を備え，当該テレビジョン受像機Ｘ全体を制御するものである。
前記リモコンインターフェース回路９は，当該テレビジョン受像機Ｘの操作用の前記リモコン（リモート操作器）９ａから，赤外線伝送等の無線伝送によって該リモコン９ａに対する操作入力情報を取得し，その操作入力情報を前記制御回路８に伝送するものである。
【００１４】
前記リモコン９ａには，操作選択スイッチ９１，チャンネル選択キー９２，音量ボリューム調節キー９３，後述する動作モードの切り替えに用いられるモード切替キー９４，各種の選択操作などに用いられる操作キー９５などが設けられている。
前記操作選択スイッチ９１は，前記第１映像Ａに関する操作を行う第１操作モードと，前記第２映像Ｂに関する操作を行う第２操作モードとのいずれかを選択するためのものである。前記リモコン９ａは，前記操作選択スイッチ９１の選択状態に応じて，前記チューナ１ａ又は１ｂのいずれかに対応する操作入力情報を伝送するかを切り替える。
【００１５】
前記チャンネル選択キー９２は，前記チューナ１ａ又は１ｂにおいて抽出するチャンネルを選択（選局）するためのものである。前記チャンネル選択キー９２に対する操作入力の情報が，前記リモコンインターフェース回路９を通じて前記制御回路８に入力され，その操作入力情報に従って，前記制御回路８が前記チューナ１ａ又は１ｂに対して選局するチャンネルを指定する。これにより，前記チューナ１ａ又は１ｂによって指定チャンネルの映像信号及び音声信号が抽出される。
また，前記音量ボリューム調節キー（音量のアップキーとダウンキー）９３は，前記スピーカ１３から出力される音声の音量ボリュームを調節するためのものである。前記音量ボリューム調節キー９３に対する操作入力情報に従って，前記制御回路８から前記アンプ１２に対して出力音量の調節指令が出力され，その指令に従って前記アンプ１２により前記スピーカ１３に対する出力音量が調節される。
前記操作キー９５は，各種の設定や選択などに用いられる十字キーや決定キーを有している。前記操作キー９５の△キー及び▽キーは，後述する映像表示処理（図２のフローチャート参照）において，後述するデュアルモード１〜３の切り替えに用いられる。
【００１６】
次に，図２に示すフローチャート，図３の表示例を参照しつつ，前記制御回路８が所定の制御プログラムを実行することにより実現される映像表示処理の手順の一例について説明する。なお，以下に示すＳ１，Ｓ２，…は，処理手順（ステップ）の識別記号を表す。また，当該映像表示処理は，前記リモコン９ａを通じて所定の電源ＯＮ操作がなされた場合に開始されるものとする。
まず，ステップＳ１では，前記制御回路８によって，前記テレビジョン受像機Ｘの動作モードが前記シングルモードに設定される。
これにより，図３（ａ）に示すように，前記制御回路８によって前記画面合成切替回路５が制御され，前記チューナ１ａで受信された放送情報に含まれた前記第１映像Ａが前記液晶表示部２１に出力されて該液晶表示部２１全体に単独で表示される。また，前記制御回路８によって前記音声切替回路１０が制御されることにより，前記チューナ１ａで受信された放送情報に含まれた音声，即ち前記第１映像Ａに対応する音声が前記音声処理回路１１，前記アンプ１２を介して前記スピーカ１３から再生される。即ち，前記シングルモードでは，前記チューナ１ａにより受信された放送情報だけが出力される。
【００１７】
次に，ステップＳ２では，前記リモコン９ａにおいて前記モード切替キー９４が押下されたか否かが前記制御回路８によって判断される。具体的には，前記モード切替キー９４が押下されることにより，前記リモコン９ａから前記リモコンインターフェース回路９を通じて入力された信号に基づいて判断される。
ここで，前記モード切替キー９４が押下されたと判断されると（Ｓ２のＹｅｓ側），処理はステップＳ３に移行するが，前記モード切替キー９４が押下されていないと判断されている間は（Ｓ２のＮＯ側），当該ステップＳ２の処理が繰り返し実行され，前記シングルモードが継続される。
【００１８】
ステップＳ３では，前記制御回路８によって，動作モードがデュアルモード１に設定される。ここに，前記デュアルモード１とは，前記制御回路８によって前記画面合成切替回路５や前記音声切替回路１０が制御されることにより，図３（ｂ）に示すように，前記第１映像Ａ及び前記第２映像Ｂが前記液晶表示部２１に分割して表示され，前記第１映像Ａに対応する音声が前記スピーカ１３から出力される動作モードである。なお，再生中の音声に対応する前記第１映像Ａには“♪”が付されている。ここに，かかるデュアルモード１を実行するための処理を行うときの前記制御回路８が同時出力手段に相当する。
【００１９】
その後，ステップＳ４では，前記操作キー９５の▽キーが押下されたか否かが前記制御回路８によって判断される。具体的には，前記操作キー９５の▽キーが押下されることにより，前記リモコン９ａから前記リモコンインターフェース回路９を通じて入力された信号に基づいて判断される。
ここで，前記操作キー９５の▽キーが押下されていないと判断されると（Ｓ４のＮＯ側），処理はステップＳ５に移行し，前記▽キーが押下されたと判断されると（Ｓ４のＹｅｓ側），処理はステップＳ６に移行する。
【００２０】
前記ステップＳ５では，前記ステップＳ２と同様に前記モード切替キー９４が押下されたか否かが前記制御回路８によって判断される。具体的には，前記モード切替キー９４が押下されることにより，前記リモコン９ａから前記リモコンインターフェース回路９を通じて入力された信号に基づいて判断される。
ここで，前記モード切替キー９４が押下されたと判断されると（Ｓ５のＹｅｓ側），処理は前記ステップＳ１に移行して，動作モードが前記シングルモードに設定され，当該映像表示処理が再度実行される。一方，前記モード切替キー９４が押下されていないと判断されると（Ｓ５のＮｏ側），処理は前記ステップＳ４に移行する。
【００２１】
前記ステップＳ６では，前記制御回路８によって，動作モードがデュアルモード２に設定される。ここに，前記デュアルモード２とは，前記制御回路８によって前記画面合成切替回路５や前記音声切替回路１０が制御されることにより，図３（ｃ）に示すように，前記デュアルモード１よりも縮小された前記第１映像Ａ及び前記デュアルモード１よりも拡大された前記第２映像Ｂが前記液晶表示部２１に分割して表示され，前記第１映像Ａに対応する音声が前記スピーカ１３から出力される動作モードである。
【００２２】
そして，続くステップＳ７では，前記操作キー９５の▽キーが再度押下されたか否かが前記制御回路８によって判断される。具体的には，前記操作キー９５の▽キーが押下されることにより，前記リモコン９ａから前記リモコンインターフェース回路９を通じて入力された信号に基づいて判断される。
ここで，前記操作キー９５の▽キーが押下されていないと判断されると（Ｓ７のＮＯ側），処理はステップＳ８に移行し，前記▽キーが押下されたと判断されると（Ｓ７のＹｅｓ側），処理はステップＳ１０に移行する。
【００２３】
前記ステップＳ８では，前記操作キー９５の△キーが押下されたか否かが前記制御回路８によって判断される。具体的には，前記操作キー９５の△キーが押下されることにより，前記リモコン９ａから前記リモコンインターフェース回路９を通じて入力された信号に基づいて判断される。
ここで，前記操作キー９５の△キーが押下されていないと判断されると（Ｓ８のＮＯ側），処理はステップＳ９に移行し，前記△キーが押下されたと判断されると（Ｓ８のＹｅｓ側），処理は前記ステップＳ３に移行して動作モードが前記デュアルモード１に切り替えられる。
【００２４】
前記ステップＳ９では，前記ステップＳ２と同様に前記モード切替キー９４が押下されたか否かが前記制御回路８によって判断され，前記モード切替キー９４が押下されたと判断されると（Ｓ９のＹｅｓ側），処理は前記ステップＳ１に移行して，動作モードが前記シングルモードに設定され，当該映像表示処理が再度実行される。一方，前記モード切替キー９４が押下されていないと判断されると（Ｓ９のＮｏ側），処理は前記ステップＳ７に移行する。
【００２５】
一方，ステップＳ１０では，前記制御回路８によって，動作モードがデュアルモード３に設定される。ここに，前記デュアルモード３とは，前記制御回路８によって前記画面合成切替回路５や前記音声切替回路１０が制御されることにより，図３（ｄ）に示すように，前記第２映像Ｂのみが前記液晶表示部２１に単独で表示され，前記第１映像Ａに対応する音声のみが前記スピーカ１３から出力される動作モードである。具体的には，前記制御回路８によって前記画面合成切替回路５から前記液晶表示部２１への前記第１映像Ａの出力が停止されることにより，前記第２映像Ｂだけが前記液晶表示部２１に単独で表示される。ここに，かかるデュアルモード３を実行するための処理を行うときの前記制御回路８が映像出力制御手段，出力停止手段に相当する。
【００２６】
このように，前記テレビジョン受像機Ｘでは，前記チューナ１ｂで受信された放送情報に含まれた前記第２映像Ｂを単独表示しながら，前記チューナ１ａで受信された放送情報に含まれた音声を再生することができる。したがって，例えば前記チューナ１ａで受信された放送情報が音声情報である場合に，該音声情報に含まれた前記第１映像Ａを表示させずに，前記チューナ１ｂで受信されたテレビジョン放送情報などの放送情報に含まれた前記第２映像Ｂを表示させることができるため利便性がよく，ユーザの所望の視聴状態を自在に形成することができる。
また，前記テレビジョン受像機Ｘでは，前記シングルモードから前記デュアルモード３への遷移時に，前記デュアルモード１，２を経由するため，ユーザは前記第１映像Ａの内容を確認することができる。もちろん，前記デュアルモード２を経由することなく前記デュアルモード１から前記デュアルモード３に直接遷移してもかまわない。また，前記▽キーを長押しすることにより，前記デュアルモード１から前記デュアルモード３に移行するように構成することも考えられる。
【００２７】
また，前記デュアルモード３では，一見して前記シングルモードとの区別がつかないため，前記制御回路８によって，前記画面合成切替回路５に挿入情報として“♪Ａ”が伝送されることにより，前記第２映像Ｂに“♪Ａ”がスーパーインポーズされる。これにより，前記液晶表示部２１では，前記第２映像Ｂ上に“♪Ａ”が表示されるため，ユーザは，再生中の音声が前記第１映像Ａに対応するものである旨を認識することができる。ここに，かかる表示処理を実行するときの前記制御回路８が音声情報表示手段に相当する。なお，このとき表示する文字“Ａ”は，例えば前記チューナ１ａから出力されている放送情報を放送する放送局や，該放送局のチャンネルなど該放送局に関する情報などを示すものであることが考えられる。
【００２８】
そして，続くステップＳ１１では，前記操作キー９５の△キーが押下されたか否かが前記制御回路８によって判断される。具体的には，前記操作キー９５の△キーが押下されることにより，前記リモコン９ａから前記リモコンインターフェース回路９を通じて入力された信号に基づいて判断される。
ここで，前記操作キー９５の△キーが押下されていないと判断されると（Ｓ１１のＮＯ側），処理はステップＳ１２に移行し，前記△キーが押下されたと判断されると（Ｓ１１のＹｅｓ側），処理は前記ステップＳ６に移行して動作モードが前記デュアルモード２に切り替えられる。なお，前記△キーが長押しされた場合に，前記デュアルモード３から前記デュアルモード１に移行するように構成してもよい。
【００２９】
前記ステップＳ１２では，前記ステップＳ２と同様に，前記モード切替キー９４が押下されたか否かが前記制御回路８によって判断され，前記モード切替キー９４が押下されたと判断されると（Ｓ１２のＹｅｓ側），処理は前記ステップＳ１に移行して，動作モードが前記シングルモードに設定され，当該映像表示処理が再度実行される。一方，前記モード切替キー９４が押下されていないと判断されると（Ｓ１２のＮｏ側），処理は前記ステップＳ１１に移行する。
以上，説明したように，前記テレビジョン受像機Ｘでは，一方の前記チューナ１ｂで受信された放送情報に含まれる前記第２映像Ｂのみを前記液晶表示部２１に表示しながら，他方の前記チューナ１ａで受信された放送情報に含まれる音声を再生することができる。
【図面の簡単な説明】
【００３０】
【図１】本発明の実施の形態に係るテレビジョン受像機の概略構成を示すブロック図。
【図２】本発明の実施の形態に係るテレビジョン受像機において実行される映像表示処理の手順の一例を説明するためのフローチャート。
【図３】本発明の実施の形態に係るテレビジョン受像機による表示例を説明するための図。
【図４】従来のテレビジョン受像機による表示例を説明するための図。
【符号の説明】
【００３１】
１ａ，１ｂ…チューナ
４ａ，４ｂ…映像処理回路
５…画面合成切替回路
８…制御回路
９…リモコンインターフェース回路
９ａ…リモコン
９１…操作選択スイッチ
９２…チャンネル選択キー
９３…音量ボリューム調節キー
９４…モード切替キー
９５…操作キー
１０…音声切替回路
１１…音声処理回路
１２…アンプ
１３…スピーカ
２０…放送受信アンテナ
２１…液晶表示部
【図１】
2008005270.tif 000003
【図２】
2008005270.tif 000004
【図３】
2008005270.tif 000005
【図４】
2008005270.tif 000006